(57)【要約】【課題】端末が訪問したセルのタイプを基地局が知ることに寄与する。【解決手段】端末ＵＥは、滞在しているセルのセルタイプ情報を取得し、該セルタイプ情報を保持する（ステップＳ２，Ｓ５）。端末ＵＥは、ＲＲＣアイドル状態からＲＲＣ接続状態に変更すると（ステップＳ６）、接続先のセルの基地局ｅＮＢへ、セルタイプ情報を通知する（ステップＳ７）。基地局ｅＮＢは、端末ＵＥが滞在したセルのセルタイプ情報を取得する（ステップＳ７）。【選択図】図４
2015173318.tif 000002
【特許請求の範囲】
【請求項１】
滞在したセルのセルタイプ情報を保持することを特徴とする無線端末装置。
【請求項２】
前記セルタイプ情報は、前記無線端末装置がＲＲＣアイドル状態で滞在したセルのセルタイプ情報であることを特徴とする請求項１に記載の無線端末装置。
【請求項３】
少なくともＲＲＣ接続状態になるまで前記セルタイプ情報を保持することを特徴とする請求項２に記載の無線端末装置。
【請求項４】
セル接続確立時に、前記セルタイプ情報を接続先セルの無線基地局装置へ通知することを特徴とする請求項１から３のいずれか１項に記載の無線端末装置。
【請求項５】
移動履歴情報により前記セルタイプ情報を無線基地局装置へ通知することを特徴とする請求項１から４のいずれか１項に記載の無線端末装置。
【請求項６】
前記セルタイプ情報を訪問セル履歴情報テーブルに格納することを特徴とする請求項１から５のいずれか１項に記載の無線端末装置。
【請求項７】
無線端末装置が滞在したセルのセルタイプ情報を取得することを特徴とする無線基地局装置。
【請求項８】
前記無線端末装置によるセル接続確立時に、前記セルタイプ情報を前記無線端末装置から受信することを特徴とする請求項７に記載の無線基地局装置。
【請求項９】
移動履歴情報により前記セルタイプ情報を前記無線端末装置から受信することを特徴とする請求項７又は８のいずれか１項に記載の無線基地局装置。
【請求項１０】
無線端末装置が、滞在したセルのセルタイプ情報を保持するステップと、
無線基地局装置が、前記セルタイプ情報を取得するステップと、
を含むことを特徴とするセルタイプ情報取得方法。
【請求項１１】
無線端末装置のコンピュータに、
前記無線端末装置が滞在したセルのセルタイプ情報を保持するステップを実行させるためのコンピュータプログラム。
【請求項１２】
無線基地局装置のコンピュータに、
無線端末装置が滞在したセルのセルタイプ情報を取得するステップを実行させるためのコンピュータプログラム。
【発明の詳細な説明】
【技術分野】
【０００１】
本発明は、無線端末装置、無線基地局装置、セルタイプ情報取得方法およびコンピュータプログラムに関する。
【背景技術】
【０００２】
近年、ＨｅｔＮｅｔ（Heterogeneous Network）と呼ばれる無線通信ネットワークが知られている。ＨｅｔＮｅｔでは、セルサイズなどが異なる複数のセルが、部分的に又は全部が重複して配置される。３ＧＰＰ（3rd Generation Partnership Project）で標準化作業が進められているＬＴＥ（Long Term Evolution）と呼ばれる無線通信システム（ＬＴＥシステム）では（例えば、非特許文献１，２参照）、ＨｅｔＮｅｔにおいて、異なるタイプの複数のセルを、高い通信速度の通信サービスやトラフィックの負荷分散（トラフィック・オフロード（traffic offloading））などに利用することが検討されている。
【０００３】
また、ＬＴＥシステムでは、ＨｅｔＮｅｔにおける端末（user equipment：UE）の移動性を高めるために、移動速度評価（Mobility speed estimation：MSE）と、移動履歴情報（Mobility history information）についての検討が行われている（例えば、非特許文献３，４，５参照）。移動履歴情報として、例えば、訪問セル履歴情報（visited cell history information）が挙げられる。
【先行技術文献】
【非特許文献】
【０００４】
【非特許文献１】3GPP、TS 36.300、“Evolved Universal Terrestrial Radio Access (E-UTRA) and Evolved Universal Terrestrial Radio Access Network (E-UTRAN); Overall description; Stage 2”
【非特許文献２】3GPP TS 36.331、“Evolved Universal Terrestrial Radio Access (E-UTRA);Radio Resource Control (RRC); Protocol specification”
【非特許文献３】3GPP TSG-RAN WG2 Meeting #83bis  R2-133296、“Investigation of mobility information”、Ericsson
【非特許文献４】3GPP TSG RAN WG2 Meeting #83bis  R2-133113、“Mobility information reporting when entering connected state”、CATT
【非特許文献５】3GPP TSG RAN WG2 Meeting #84  R2-134298、“Discussion on mobility information”、Intel Corporation
【発明の概要】
【発明が解決しようとする課題】
【０００５】
上述した従来の訪問セル履歴情報は、端末が過去に訪問した１６個のセルに関して、滞在時間（time-of-stay：ToS）とグローバル識別子（global identifier：GID）を有する。しかしながら、この従来の訪問セル履歴情報では、基地局（E-UTRAN NodeB：eNB）は、端末が訪問したセルがどのような類型（タイプ（type））のセルであるのかが分からない、という課題がある。
【０００６】
本発明は、このような事情を考慮してなされたものであり、端末が訪問したセルのタイプを基地局が知ることに寄与できる、無線端末装置、無線基地局装置、セルタイプ情報取得方法およびコンピュータプログラムを提供することを課題とする。
【課題を解決するための手段】
【０００７】
（１）本発明に係る無線端末装置は、滞在したセルのセルタイプ情報を保持することを特徴とする。
（２）本発明に係る無線端末装置は、上記（１）に記載の無線端末装置において、前記セルタイプ情報は、前記無線端末装置がＲＲＣ（Radio Resource Control）アイドル状態で滞在したセルのセルタイプ情報であることを特徴とする。
（３）本発明に係る無線端末装置は、上記（２）に記載の無線端末装置において、少なくともＲＲＣ接続状態になるまで前記セルタイプ情報を保持することを特徴とする。
（４）本発明に係る無線端末装置は、上記（１）から（３）のいずれかの無線端末装置において、セル接続確立時に、前記セルタイプ情報を接続先セルの無線基地局装置へ通知することを特徴とする。
（５）本発明に係る無線端末装置は、上記（１）から（４）のいずれかの無線端末装置において、移動履歴情報により前記セルタイプ情報を無線基地局装置へ通知することを特徴とする。
（６）本発明に係る無線端末装置は、上記（１）から（５）のいずれかの無線端末装置において、前記セルタイプ情報を訪問セル履歴情報テーブルに格納することを特徴とする。
【０００８】
（７）本発明に係る無線基地局装置は、無線端末装置が滞在したセルのセルタイプ情報を取得することを特徴とする。
（８）本発明に係る無線基地局装置は、上記（７）の無線基地局装置において、前記無線端末装置によるセル接続確立時に、前記セルタイプ情報を前記無線端末装置から受信することを特徴とする。
（９）本発明に係る無線基地局装置は、上記（７）又は（８）のいずれかの無線基地局装置において、移動履歴情報により前記セルタイプ情報を前記無線端末装置から受信することを特徴とする。
【０００９】
（１０）本発明に係るセルタイプ情報取得方法は、無線端末装置が、滞在したセルのセルタイプ情報を保持するステップと、無線基地局装置が、前記セルタイプ情報を取得するステップと、を含むことを特徴とする。
【００１０】
（１１）本発明に係るコンピュータプログラムは、無線端末装置のコンピュータに、前記無線端末装置が滞在したセルのセルタイプ情報を保持するステップを実行させるためのコンピュータプログラムであることを特徴とする。
（１２）本発明に係るコンピュータプログラムは、無線基地局装置のコンピュータに、無線端末装置が滞在したセルのセルタイプ情報を取得するステップを実行させるためのコンピュータプログラムであることを特徴とする。
【発明の効果】
【００１１】
本発明によれば、端末が訪問したセルのタイプを基地局が知ることに寄与できるという効果が得られる。
【図面の簡単な説明】
【００１２】
【図１】本発明の一実施形態に係るＨｅｔＮｅｔの構成例を示す概念図である。
【図２】本発明の一実施形態に係る端末ＵＥの構成例を示すブロック図である。
【図３】本発明の一実施形態に係る基地局ｅＮＢの構成例を示すブロック図である。
【図４】本発明の一実施形態に係るセルタイプ情報取得方法の手順を示すシーケンスチャートである。
【図５】本発明の一実施形態に係る端末ＵＥ、基地局ｅＮＢの処理手順の例を示すシーケンスチャートである。
【図６】本発明の一実施形態に係る端末ＵＥ、基地局ｅＮＢの処理手順の例を示すシーケンスチャートである。
【図７】本発明の一実施形態に係るセルタイプ情報の構成例を示す図表である。
【図８】本発明の一実施形態に係るセルタイプ情報の構成例を示す図表である。
【発明を実施するための形態】
【００１３】
以下、図面を参照し、本発明の一実施形態について説明する。本実施形態では、無線通信システムの一例として、ＬＴＥシステムを挙げて説明する。
【００１４】
図１は、本発明の一実施形態に係るＨｅｔＮｅｔの構成例を示す概念図である。図１において、マクロセル基地局ｅＮＢ＿ｍ１，ｅＮＢ＿ｍ２は、それぞれマクロセル（Macro cell）Ｃ＿ｍ１，Ｃ＿ｍ２を提供する。スモールセル基地局ｅＮＢ＿ｓ１，ｅＮＢ＿ｓ２，ｅＮＢ＿ｓ３，ｅＮＢ＿ｓ４，ｅＮＢ＿ｓ５，ｅＮＢ＿ｓ６，ｅＮＢ＿ｓ７は、それぞれスモールセル（Small cell）Ｃ＿ｓ１，Ｃ＿ｓ２，Ｃ＿ｓ３，Ｃ＿ｓ４，Ｃ＿ｓ５，Ｃ＿ｓ６，Ｃ＿ｓ７を提供する。マクロセルＣ＿ｍ１，Ｃ＿ｍ２は、スモールセルＣ＿ｓ１，Ｃ＿ｓ２，Ｃ＿ｓ３，Ｃ＿ｓ４，Ｃ＿ｓ５，Ｃ＿ｓ６，Ｃ＿ｓ７よりも、カバレッジ（coverage）が広い。マクロセルＣ＿ｍ１とＣ＿ｍ２は、部分的に重複して配置されている。スモールセルＣ＿ｓ１，Ｃ＿ｓ２，Ｃ＿ｓ３，Ｃ＿ｓ４は、マクロセルＣ＿ｍ１に対して重複して配置されている。スモールセルＣ＿ｓ４，Ｃ＿ｓ５，Ｃ＿ｓ６，Ｃ＿ｓ７は、マクロセルＣ＿ｍ２に対して重複して配置されている。
【００１５】
以下、マクロセル基地局ｅＮＢ＿ｍ１，ｅＮＢ＿ｍ２を特に区別しないときは「マクロセル基地局ｅＮＢ＿ｍ」と称する。また、スモールセル基地局ｅＮＢ＿ｓ１，ｅＮＢ＿ｓ２，ｅＮＢ＿ｓ３，ｅＮＢ＿ｓ４，ｅＮＢ＿ｓ５，ｅＮＢ＿ｓ６，ｅＮＢ＿ｓ７を特に区別しないときは「スモールセル基地局ｅＮＢ＿ｓ」と称する。また、マクロセル基地局ｅＮＢ＿ｍとスモールセル基地局ｅＮＢ＿ｓを特に区別しないときは「基地局ｅＮＢ」と称する。
【００１６】
端末ＵＥは、マクロセル基地局ｅＮＢ＿ｍおよびスモールセル基地局ｅＮＢ＿ｓの両方に接続することができる。端末ＵＥは、図１中の矢印の方向に移動しながら、適宜、ハンドオーバ（hand over）により接続先の基地局ｅＮＢを変更することができる。
【００１７】
図２は、本発明の一実施形態に係る端末（無線端末装置）ＵＥの構成例を示すブロック図である。図２において、端末ＵＥは、無線通信部１１、制御部１２、記憶部１３、入力部１４及び出力部１５を備える。無線通信部１１、制御部１２、記憶部１３、入力部１４及び出力部１５は相互にデータを送受できるように接続されている。無線通信部１１は、マクロセル基地局ｅＮＢ＿ｍ及びスモールセル基地局ｅＮＢ＿ｓに無線接続できる。無線通信部１１は、無線接続している基地局ｅＮＢを介して、他の装置と通信する。
【００１８】
制御部１２は端末ＵＥに係る動作の制御を行う。記憶部１３はデータを格納する。入力部１４はデータの入力を行う。出力部１５はデータの出力を行う。入力部１４として、例えば、キーボード、テンキー、マウス等の入力デバイス、音声を入力するマイクロホン、近距離無線通信の受信デバイスなどが挙げられる。出力部１５として、例えば、液晶表示装置等の表示デバイス、音声を出力するスピーカ、近距離無線通信の送信デバイスなどが挙げられる。また、入力デバイスと表示デバイスの両方の機能を有するタッチパネルを備えてもよい。端末ＵＥとして、例えば、スマートフォンやタブレット型のコンピュータ（タブレットＰＣ）等の携帯通信端末装置が挙げられる。
【００１９】
記憶部１３は、セルタイプ情報を格納するセルタイプ情報記憶領域１３１を有する。セルタイプ情報記憶領域１３１として、例えば、訪問セル履歴情報テーブル（visited cell history information table）が挙げられる。
【００２０】
図３は、本発明の一実施形態に係る基地局（無線基地局装置）ｅＮＢの構成例を示すブロック図である。図３において、基地局ｅＮＢは、無線通信部２１、通信部２２、制御部２３及び記憶部２４を備える。無線通信部２１、通信部２２、制御部２３及び記憶部２４は相互にデータを送受できるように接続されている。無線通信部２１は端末ＵＥと無線通信する。通信部２２は、バックボーンネットワークを介して他の装置と通信する。制御部２３は基地局ｅＮＢに係る動作の制御を行う。記憶部２４はデータを格納する。
【００２１】
次に、図４を参照して、本実施形態に係るセルタイプ情報取得方法を説明する。図４は、本発明の一実施形態に係るセルタイプ情報取得方法の手順を示すシーケンスチャートである。以下の説明では、マクロセルとスモールセルを特に区別せず、単にセルと称する。図４において、端末ＵＥは、破線矢印で示される方向へ、セルＣｅｌｌ＃１からセルＣｅｌｌ＃２へと移動するとする。
【００２２】
（ステップＳ１）  端末ＵＥの無線通信部１１が、滞在しているセル（camped-on cell）Ｃｅｌｌ＃１から、システム情報を取得する。この時、図４の例では、端末ＵＥはＲＲＣ（Radio Resource Control）アイドル状態（RRC_IDLE）であるが、ＲＲＣアイドル状態は必須ではなく、端末ＵＥはＲＲＣアイドル状態以外の状態（例えば、ＲＲＣ接続状態（RRC_CONNECTED））であってもよい。例えば、端末ＵＥがＲＲＣアイドル状態である時には、無線通信部１１は、セルＣｅｌｌ＃１からの受信信号に基づいて、セルＣｅｌｌ＃１のシステム情報を取得する。一方、端末ＵＥがＲＲＣ接続状態である時には、無線通信部１１は、セルＣｅｌｌ＃１からの受信信号に基づいてセルＣｅｌｌ＃１のシステム情報を取得してもよく、又は、セルＣｅｌｌ＃１の基地局ｅＮＢからシステム情報を取得してもよい。
【００２３】
（ステップＳ２）  端末ＵＥの制御部１２が、ステップＳ１で取得されたシステム情報に基づいて、セルＣｅｌｌ＃１のセルタイプ情報を取得する。制御部１２は、該取得したセルＣｅｌｌ＃１のセルタイプ情報「Ｃｅｌｌ  ｔｙｐｅ＃１」をセルタイプ情報記憶領域１３１に記憶させる。
【００２４】
（ステップＳ３）  端末ＵＥが移動し、端末ＵＥの無線通信部１１がセルＣｅｌｌ＃１以外の他のセルの測定を行う。そして、端末ＵＥの制御部１２が、セル再選択情報（cell re-selection information）の要求を行い、セル再選択（cell re-selection）を実行する。これにより、端末ＵＥの滞在しているセルは、セルＣｅｌｌ＃２に変わるとする。
【００２５】
（ステップＳ４）  端末ＵＥの無線通信部１１が、滞在しているセルＣｅｌｌ＃２から、システム情報を取得する。この時、図４の例では、端末ＵＥはＲＲＣアイドル状態であるが、ＲＲＣアイドル状態は必須ではなく、端末ＵＥはＲＲＣアイドル状態以外の状態（例えば、ＲＲＣ接続状態）であってもよい。例えば、端末ＵＥがＲＲＣアイドル状態である時には、無線通信部１１は、セルＣｅｌｌ＃２からの受信信号に基づいて、セルＣｅｌｌ＃２のシステム情報を取得する。一方、端末ＵＥがＲＲＣ接続状態である時には、無線通信部１１は、セルＣｅｌｌ＃２からの受信信号に基づいてセルＣｅｌｌ＃２のシステム情報を取得してもよく、又は、セルＣｅｌｌ＃２の基地局ｅＮＢからシステム情報を取得してもよい。
【００２６】
（ステップＳ５）  端末ＵＥの制御部１２が、ステップＳ４で取得されたシステム情報に基づいて、セルＣｅｌｌ＃２のセルタイプ情報を取得する。制御部１２は、該取得したセルＣｅｌｌ＃２のセルタイプ情報「Ｃｅｌｌ  ｔｙｐｅ＃２」をセルタイプ情報記憶領域１３１に記憶させる。ここで、セルタイプ情報記憶領域１３１には、セルタイプ情報の取得順序を示すセルタイプ取得順序情報も記憶させる。図４の例では、セルタイプ取得順序情報によって、まずＣｅｌｌ＃１のセルタイプ情報「Ｃｅｌｌ  ｔｙｐｅ＃１」が取得され、次にセルＣｅｌｌ＃２のセルタイプ情報「Ｃｅｌｌ  ｔｙｐｅ＃２」が取得されたことが分かるようにする。
【００２７】
（ステップＳ６）  端末ＵＥの制御部１２が、ＲＲＣアイドル状態から、セルＣｅｌｌ＃２に対するＲＲＣ接続状態に変更する。
【００２８】
（ステップＳ７）  端末ＵＥの制御部１２が、セルタイプ情報記憶領域１３１に記憶されるセルタイプ情報「Ｃｅｌｌ  ｔｙｐｅ＃１、Ｃｅｌｌ  ｔｙｐｅ＃２」及びセルタイプ取得順序情報を訪問セル履歴情報に含め、該訪問セル履歴情報を無線通信部１１によりセルＣｅｌｌ＃２の基地局ｅＮＢへ送信させる。無線通信部１１は、ＲＲＣ接続（RRC connection）を使用して該訪問セル履歴情報をセルＣｅｌｌ＃２の基地局ｅＮＢへ送信する。この例では、セルタイプ情報は、端末ＵＥがＲＲＣアイドル状態からＲＲＣ接続状態に変わる時に、「Serving eNB」へ送信される。
【００２９】
これにより、セルＣｅｌｌ＃２の基地局ｅＮＢの無線通信部２１は、ＲＲＣ接続を使用して、端末ＵＥから訪問セル履歴情報を受信する。該基地局ｅＮＢの制御部２３は、端末ＵＥから受信された訪問セル履歴情報に含まれるセルタイプ情報「Ｃｅｌｌ  ｔｙｐｅ＃１、Ｃｅｌｌ  ｔｙｐｅ＃２」に基づいて、当該端末ＵＥが滞在していたセルのセルタイプを知ることができる。さらに、該基地局ｅＮＢの制御部２３は、訪問セル履歴情報に含まれるセルタイプ取得順序情報に基づいて、当該端末ＵＥが滞在していた順序でセルのセルタイプを知ることができる。
【００３０】
図５、図６は、本発明の一実施形態に係る端末ＵＥ、基地局ｅＮＢの処理手順の例を示すシーケンスチャートである。以下、図５、図６を参照して、本実施形態に係る端末ＵＥ、基地局ｅＮＢの動作の例を説明する。
【００３１】
まず図５（ステップＳ１１〜Ｓ１６）において端末ＵＥはＲＲＣアイドル状態である。
【００３２】
（ステップＳ１１）  端末ＵＥが、滞在しているセルＣｅｌｌ＃１から、システム情報を取得する。
【００３３】
（ステップＳ１２）  端末ＵＥが、ステップＳ１１で取得したシステム情報に基づいて、訪問セル履歴情報を記録する。端末ＵＥは、該システム情報に基づいて取得したセルＣｅｌｌ＃１のセルタイプ情報「Ｃｅｌｌ  ｔｙｐｅ＃１」を、該訪問セル履歴情報に含める。
【００３４】
（ステップＳ１３）  端末ＵＥがセルＣｅｌｌ＃１以外の他のセルの測定を行う。
【００３５】
（ステップＳ１４）  端末ＵＥがセル再選択を実行し、端末ＵＥの滞在しているセルがセルＣｅｌｌ＃２に変わる。
【００３６】
（ステップＳ１５）  端末ＵＥが、滞在しているセルＣｅｌｌ＃２から、システム情報を取得する。
【００３７】
（ステップＳ１６）  端末ＵＥが、ステップＳ１５で取得したシステム情報に基づいて、訪問セル履歴情報を記録する。端末ＵＥは、該システム情報に基づいて取得したセルＣｅｌｌ＃２のセルタイプ情報「Ｃｅｌｌ  ｔｙｐｅ＃２」を、該訪問セル履歴情報に含める。
【００３８】
次いで、端末ＵＥがＲＲＣアイドル状態からセルＣｅｌｌ＃２に対するＲＲＣ接続状態に変更する。これにより、図６（ステップＳ２１〜Ｓ２６）において端末ＵＥはセルＣｅｌｌ＃２に対するＲＲＣ接続状態である。
【００３９】
（ステップＳ２１）  端末ＵＥが、移動速度評価（MSE）を実行する。
【００４０】
（ステップＳ２２）  端末ＵＥが、ＭＳＥ結果の移動速度（mobility speed）及び訪問セル履歴情報の有無を示す識別子（indicator）を、セルＣｅｌｌ＃２の基地局ｅＮＢへ通知する。訪問セル履歴情報の有無を示す識別子（以下、訪問セル履歴情報識別子と称する）は、端末ＵＥが訪問セル履歴情報を保持しているのか又は保持していないのか、を示す。
【００４１】
（ステップＳ２３）  セルＣｅｌｌ＃２の基地局ｅＮＢが、ステップＳ２２で端末ＵＥから通知された移動速度の正確さを評価する。この評価結果が不良であり且つステップＳ２２で端末ＵＥから通知された訪問セル履歴情報識別子が「訪問セル履歴情報を保持している」である場合には、ステップＳ２４以降の処理を行う。一方、そうではない場合には図６の処理を終了する。
【００４２】
（ステップＳ２４）  セルＣｅｌｌ＃２の基地局ｅＮＢが、端末ＵＥに対して、訪問セル履歴情報を要求する。
【００４３】
（ステップＳ２５）  端末ＵＥが、セルＣｅｌｌ＃２の基地局ｅＮＢに対して、訪問セル履歴情報を送信する。この訪問セル履歴情報には、当該端末ＵＥが滞在していたセルのセルタイプ情報「Ｃｅｌｌ  ｔｙｐｅ＃１、Ｃｅｌｌ  ｔｙｐｅ＃２」が含まれる。
【００４４】
（ステップＳ２６）  セルＣｅｌｌ＃２の基地局ｅＮＢが、ステップＳ２５で端末ＵＥから受信された訪問セル履歴情報（セルタイプ情報を含む）に基づいて、当該端末ＵＥの移動速度を評価する。
【００４５】
なお、上述のステップＳ２２において、端末ＵＥがＭＳＥ結果の移動速度と共に訪問セル履歴情報（セルタイプ情報を含む）をセルＣｅｌｌ＃２の基地局ｅＮＢへ通知してもよい。
【００４６】
次に、本実施形態に係るセルタイプ情報の例を説明する。セルタイプ情報は、セルに関連する情報として定義される。
【００４７】
［例１：セルのカバレッジ、又は、基地局の送信電力に基づくセルタイプ情報］
セルタイプ情報は、セルのカバレッジ、又は、基地局の送信電力に基づいて定義することができる。図７は、該セルタイプ情報の構成例を示す図表である。図７の例では、セルタイプとして、マクロセル、スモールセル、ピコセル（Pico cell）、フェムトセル（Femto cell）が定義される。各セルタイプにはセルタイプ識別子（セルタイプＩＤ）が割り当てられる。図７の例では、セルタイプ情報として、セルタイプＩＤ「０」，「１」，「２」，「３」を表すための２ビットで構成できる。
【００４８】
［例２：セルの役割、又は、セルの地理的な位置に基づくセルタイプ情報］
セルタイプ情報は、セルの役割、又は、セルの地理的な位置に基づいて定義することができる。図８は、該セルタイプ情報の構成例を示す図表である。図８の例では、セルタイプとして、トラフィック・オフロード、カバレッジ補完が定義される。トラフィック・オフロード用のセルとして、例えば、セルのカバレッジ内に配置されたセルが挙げられる。カバレッジ補完用のセルとして、例えば、セルのエッジ付近に配置されたセルが挙げられる。各セルタイプにはセルタイプＩＤが割り当てられる。図８の例では、セルタイプ情報として、セルタイプＩＤ「０」，「１」を表すための１ビットで構成できる。
【００４９】
［例３：セルの在る場所に基づくセルタイプ情報］
セルタイプ情報は、セルの在る場所に基づいて定義することができる。例えば、建物の内部に在るセルと、建物の外部に在るセルとをそれぞれ別のセルタイプとして定義して区別することが挙げられる。
【００５０】
［例４：建物の内部に在るセルに対してセルの在る場所の高さに基づくセルタイプ情報］
セルタイプ情報は、建物の内部に在るセルに対してセルの在る場所の高さに基づいて定義することができる。例えば、同一建物内に在るセルに対して、高層階に在るセルと、低層階に在るセルとをそれぞれ別のセルタイプとして定義して区別することが挙げられる。
【００５１】
上述したセルタイプ情報の例は、それぞれ単独で使用されてもよく、又は、複数を組み合わせて使用されてもよい。例えば、上述した例１と例２のセルタイプ情報を組み合わせることが挙げられる。具体例として、
・トラフィック・オフロード且つスモールセル
・トラフィック・オフロード且つピコセル
・トラフィック・オフロード且つフェムトセル
・カバレッジ補完且つスモールセル
・カバレッジ補完且つピコセル
・カバレッジ補完且つフェムトセル
などのセルタイプ情報が挙げられる。
【００５２】
上述した実施形態によれば、以下に示す効果が得られる。
（１）端末が訪問したセルのタイプ（セルタイプ）を基地局が知ることができる。
（２）基地局は、端末が訪問したセルのセルタイプに基づいて端末の移動速度の推定を行うことができる。これにより、端末の移動速度の推定精度の向上を図ることができる。
（３）基地局は、端末が訪問したセルのセルタイプに基づいて、自基地局の近くに在るセルの情報を収集できる。これにより、セル情報の収集能力の向上を図ることができる。これにより、ＨｅｔＮｅｔにおける端末の移動性の向上のために、自基地局の近くに在るセルのセル情報を活用できるようになる。
【００５３】
以上、本発明の実施形態について図面を参照して詳述してきたが、具体的な構成はこの実施形態に限られるものではなく、本発明の要旨を逸脱しない範囲の設計変更等も含まれる。
【００５４】
例えば、端末ＵＥが記録するセルタイプ情報として、滞在したセル（camped-on cell）の中で特定の条件を満たすセルのセルタイプ情報のみに限定してもよい。例えば、セル再選択（cell re-selection）等のセル選択において選択されたセルのセルタイプ情報のみを端末ＵＥが記録することが挙げられる。
【００５５】
また、端末ＵＥが、ＲＲＣアイドル状態で滞在したセルのセルタイプ情報を、少なくともＲＲＣ接続状態になるまで保持するようにしてもよい。
【００５６】
また、端末ＵＥが、セル接続確立時（例えば、ＲＲＣ接続状態への遷移時）に、保持しているセルタイプ情報を接続先セルの基地局ｅＮＢへ通知するようにしてもよい。
【００５７】
また、端末ＵＥが、移動履歴情報によりセルタイプ情報を基地局ｅＮＢへ通知するようにしてもよい。移動履歴情報として、例えば、訪問セル履歴情報が挙げられる。
【００５８】
また、基地局ｅＮＢが、端末ＵＥが滞在したセルのセルタイプ情報を取得する方法として、オフラインで該セルタイプ情報を取得するようにしてもよい。
【００５９】
また、上述した実施形態では、無線通信システムの一例としてＬＴＥシステムを挙げたが、ＬＴＥシステム以外の他の無線通信システムにも同様に適用可能である。
【００６０】
また、上述した端末ＵＥまたは基地局ｅＮＢの機能を実現するためのコンピュータプログラムをコンピュータ読み取り可能な記録媒体に記録して、この記録媒体に記録されたプログラムをコンピュータシステムに読み込ませ、実行するようにしてもよい。なお、ここでいう「コンピュータシステム」とは、ＯＳや周辺機器等のハードウェアを含むものであってもよい。
また、「コンピュータ読み取り可能な記録媒体」とは、フレキシブルディスク、光磁気ディスク、ＲＯＭ、フラッシュメモリ等の書き込み可能な不揮発性メモリ、ＤＶＤ（Digital Versatile Disk）等の可搬媒体、コンピュータシステムに内蔵されるハードディスク等の記憶装置のことをいう。
【００６１】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Dynamic Random Access Memory））のように、一定時間プログラムを保持しているものも含むものとする。
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【符号の説明】
【００６２】
１１，２１…無線通信部、１２，２３…制御部、１３，２４…記憶部、１４…入力部、１５…出力部、２２…通信部、１３１…セルタイプ情報記憶領域、ｅＮＢ…基地局（無線基地局装置）、ＵＥ…端末（無線端末装置）
【図１】
2015173318.tif 000003
【図２】
2015173318.tif 000004
【図３】
2015173318.tif 000005
【図４】
2015173318.tif 000006
【図５】
2015173318.tif 000007
【図６】
2015173318.tif 000008
【図７】
2015173318.tif 000009
【図８】
2015173318.tif 000010